(57)【要約】【課題】  処理液によって処理された印画紙を、所定の搬送路に沿って搬送しながら、熱風の導入により乾燥させる乾燥部１２を備えた写真焼付現像機（写真処理装置）において、コストや消費電力のアップを抑制しつつ、乾燥時間を出来る限り短縮する。【解決手段】  乾燥部１２の搬送路上流側端部に、印画紙を、そのベース面が外周表面に接触するように巻き付けた状態で下流側へ送り出す巻付けローラ２１を設け、吹出し部３０ａより吹き出された熱風によって巻付けローラ２１の表面温度を上昇させて印画紙の予熱を行うようにする。【選択図】  図２
2007033912.tif 000002
【特許請求の範囲】
【請求項１】
処理液によって処理された印画紙を、所定の搬送路に沿って搬送しながら、熱風の導入により乾燥させる乾燥部を備えた写真処理装置であって、
上記乾燥部は、該乾燥部の搬送路上流側端部に設けられかつ上記印画紙を、そのベース面が外周表面に接触するように巻き付けた状態で下流側へ送り出す巻付けローラと、該乾燥部に上記熱風を吹き出す吹出し部とを有していて、該吹出し部より吹き出された熱風によって上記巻付けローラの外周表面温度を上昇させて上記印画紙の予熱を行うように構成されていることを特徴とする写真処理装置。
【請求項２】
請求項１記載の写真処理装置において、
上記巻付けローラの外周表面への印画紙の巻付け角度が９０°以上であることを特徴とする写真処理装置。
【請求項３】
請求項１又は２記載の写真処理装置において、
上記巻付けローラの外周表面部は、金属部材で構成されていることを特徴とする写真処理装置。
【請求項４】
請求項１〜３のいずれか１つに記載の写真処理装置において、
上記吹出し部は、上記搬送路上の印画紙の乳剤面側に配設されていて、該印画紙の乳剤面に熱風を吹き付けるように構成されており、
上記乾燥部は、上記吹出し部より吹き出された熱風が、上記搬送路において印画紙が存在しない箇所を通って上記巻付けローラへ導かれるように構成されていることを特徴とする写真処理装置。
【請求項５】
請求項４記載の写真処理装置において、
上記搬送路における上記巻付けローラの下流側に、該巻付けローラと略平行に延びかつ巻付けローラより送り出された印画紙のベース面に接触する搬送ローラが設けられ、
上記巻付けローラ及び搬送ローラの間に、該巻付けローラより送り出された印画紙を上記搬送ローラへ導くためのガイド板が、該両ローラの長さ方向に延びかつ該両ローラに対して隙間があくように配設されており、
上記ガイド板と上記両ローラとの各隙間が、該ガイド板の長さ方向全体に亘って一定であることを特徴とする写真処理装置。
【発明の詳細な説明】
【技術分野】
【０００１】
本発明は、処理液によって処理された印画紙を、所定の搬送路に沿って搬送しながら、熱風の導入により乾燥させる乾燥部を備えた写真処理装置に関する技術分野に属する。
【背景技術】
【０００２】
一般に、写真焼付現像機においては、ロール状に巻かれた長尺状の印画紙が、プリントサイズに対応する長さに切断された後、その切断された各印画紙が所定間隔をあけて順次搬送され、その搬送途中で焼付け、現像及び乾燥処理がなされて外部に排出されるようになっている。すなわち、焼付け部にてネガフィルムのネガ像が印画紙の乳剤面上に露光焼付けされ、その後、この印画紙が、現像部に設けられた、各種処理液が収容された処理槽に順次搬送されて現像処理がなされ、これら処理液によって処理された印画紙が乾燥部に搬送されて、この乾燥部で搬送されながら、乾燥部に送り込まれる熱風により乾燥される。
【０００３】
ところが、このような熱風による乾燥方式では、熱の伝達が悪くて、印画紙の温度が早く上昇しないために、乾燥に時間がかかるという問題がある。
【０００４】
そこで、例えば特許文献１に示されているように、乾燥部への熱風の導入に加えて、乾燥部の上流側に、内部に棒状ヒータを有するヒートローラを設け、このヒートローラの外周表面に印画紙を巻き付けて印画紙を加熱するようにすることが提案されている。
【特許文献１】特開２００１−１８３８００号公報
【発明の開示】
【発明が解決しようとする課題】
【０００５】
しかしながら、上記のように乾燥部への熱風の導入に加えて、ヒートローラを用いて印画紙の加熱を行うものでは、ヒートローラの内部に棒状ヒータのような専用の熱源が必要になるとともに、ローラの外周表面の温度を所定温度になるように制御する制御装置が必要となり、コストや消費電力のアップを招くという問題がある。
【０００６】
本発明は、斯かる点に鑑みてなされたものであり、その目的とするところは、上記写真焼付現像機のような乾燥部を備えた写真処理装置において、コストや消費電力のアップを抑制しつつ、乾燥時間を出来る限り短縮しようとすることにある。
【課題を解決するための手段】
【０００７】
上記の目的を達成するために、この発明では、乾燥部の搬送路上流側端部に、印画紙を、そのベース面が外周表面に接触するように巻き付けた状態で下流側へ送り出す巻付けローラを設け、吹出し部より吹き出された熱風によって上記巻付けローラの表面温度を上昇させて上記印画紙の予熱を行うようにした。
【０００８】
具体的には、請求項１の発明では、処理液によって処理された印画紙を、所定の搬送路に沿って搬送しながら、熱風の導入により乾燥させる乾燥部を備えた写真処理装置を対象とする。
【０００９】
そして、上記乾燥部は、該乾燥部の搬送路上流側端部に設けられかつ上記印画紙を、そのベース面が外周表面に接触するように巻き付けた状態で下流側へ送り出す巻付けローラと、該乾燥部に上記熱風を吹き出す吹出し部とを有していて、該吹出し部より吹き出された熱風によって上記巻付けローラの外周表面温度を上昇させて上記印画紙の予熱を行うように構成されているものとする。
【００１０】
上記の構成により、熱風を巻付けローラに導くようにすれば、巻付けローラの外周表面温度を上昇させて印画紙の予熱を容易に行うことができる。これにより、巻付けローラを加熱するための専用の熱源は不要になる。しかも、巻付けローラの外周表面温度は、通常、熱風の温度と同程度になるので、特に温度制御を行う必要がない。そして、このように予熱が行われた印画紙は、下流側に進むに従って熱風により更に加熱されることになるが、上記予熱の分だけ印画紙の温度が早く上昇する。よって、コストや消費電力のアップを抑制しつつ、乾燥時間を短縮することができる。
【００１１】
請求項２の発明では、請求項１の発明において、上記巻付けローラの外周表面への印画紙の巻付け角度が９０°以上であるものとする。
【００１２】
このことにより、巻付けローラから印画紙への熱伝達を確実に行って、印画紙の予熱を十分に行うことができる。
【００１３】
請求項３の発明では、請求項１又は２の発明において、上記巻付けローラの外周表面部は、金属部材で構成されているものとする。
【００１４】
このことで、巻付けローラが熱風による熱を蓄積し易くなるとともに、印画紙に熱を奪われても、直ぐに熱風より熱を受け、これにより、印画紙に対する加熱効率が良くなる。よって、乾燥時間をより一層短縮することができる。
【００１５】
請求項４の発明では、請求項１〜３のいずれか１つの発明において、上記吹出し部は、上記搬送路上の印画紙の乳剤面側に配設されていて、該印画紙の乳剤面に熱風を吹き付けるように構成されており、上記乾燥部は、上記吹出し部より吹き出された熱風が、上記搬送路において印画紙が存在しない箇所を通って上記巻付けローラへ導かれるように構成されているものとする。
【００１６】
こうすることで、印画紙の乳剤面を早期にかつ確実に乾燥させることができる。一方、吹出し部と巻付けローラとが搬送路を挟んで互いに反対側に配置されることとなり、吹出し部より吹き出された熱風が、搬送路上の印画紙により遮られて巻付けローラのところまで行かなくなる可能性がある。しかし、印画紙の予熱が最も必要なのは、写真処理装置を稼働し始めたとき、つまり乾燥部の温度が十分に上昇していないときであり、このときには、印画紙は乾燥部まで搬送されておらず、搬送路には印画紙が存在しない。この結果、巻付けローラに熱風を導いて、最初の印画紙が乾燥部に到達するまでの間に、巻付けローラの外周表面温度を上昇させておくことができる。また、最初の印画紙が乾燥部に到達した後も、通常は、搬送される前後の印画紙の間には間隔があけられているので、搬送路において印画紙が存在しない箇所があり、その箇所から巻付けローラに熱風を導くようにすることができる。
【００１７】
請求項５の発明では、請求項４の発明において、上記搬送路における上記巻付けローラの下流側に、該巻付けローラと略平行に延びかつ巻付けローラより送り出された印画紙のベース面に接触する搬送ローラが設けられ、上記巻付けローラ及び搬送ローラの間に、該巻付けローラより送り出された印画紙を上記搬送ローラへ導くためのガイド板が、該両ローラの長さ方向に延びかつ該両ローラに対して隙間があくように配設されており、上記ガイド板と上記両ローラとの各隙間が、該ガイド板の長さ方向全体に亘って一定であるものとする。
【００１８】
このことにより、吹出し部より吹き出された熱風が、ガイド板と両ローラとの各隙間を通って巻付けローラに導かれることになるが、その各隙間がガイド板の長さ方向全体に亘って一定であるので、巻付けローラの外周表面においてその長さ方向全体を均一に温度上昇させることができ、これにより、印画紙の幅方向全体を一様に乾燥させて、印画紙の幅方向における乾燥ムラを防止することができる。また、搬送路において印画紙が存在しない箇所から印画紙のベース面側に導かれた熱風が上記各隙間より印画紙のベース面に達する場合があるが、このような場合でも、そのベース面を幅方向全体に亘って均一に乾燥させることができる。さらに、ガイド板における印画紙と接触する面を巻付けローラ方向に所定角度だけ傾けるとともに、このガイド板と対向する部分に吹出し部を設けることで、この吹出し部とガイド板との間に印画紙が存在しないときに、吹出し部より吹き出された熱風を、ガイド板に反射させて巻付けローラへ吹き付けるようにすることができ、これにより、最初の印画紙が乾燥部に到達するまでの間に、巻付けローラの外周表面温度をその長さ方向全体に亘って均一に素早く上昇させることができる。
【発明の効果】
【００１９】
以上説明したように、本発明の写真処理装置によると、乾燥部の搬送路上流側端部に、印画紙を、そのベース面が外周表面に接触するように巻き付けた状態で下流側へ送り出す巻付けローラを設け、吹出し部より吹き出された熱風によって上記巻付けローラの表面温度を上昇させて上記印画紙の予熱を行うようにしたことにより、巻付けローラを加熱するための専用の熱源や制御装置を用いることなく、巻付けローラを加熱することができ、コストや消費電力のアップを抑制しつつ、乾燥時間の短縮化を図ることができる。
【発明を実施するための最良の形態】
【００２０】
以下、本発明の実施形態を図面に基づいて詳細に説明する。
【００２１】
図１は、本発明の実施形態に係る写真処理装置としての写真焼付現像機を示す。この写真焼付現像機は本体ケース１を有し、この本体ケース１の上側には、長尺状の印画紙４（以下、印画紙を単にペーパという）が乳剤面を外側にして（つまり乳剤面と反対側のベース面を内側にして）ロール状に巻かれた状態で収容されたペーパマガジン２が設けられている。そして、本体ケース１内には、上記ペーパ４に対して焼付け、現像及び乾燥処理をそれぞれ行う焼付け部１０、現像部１１及び乾燥部１２が設けられている。
【００２２】
上記ペーパマガジン２から本体ケース１内に引き出された長尺ペーパ４は、カッター装置５によりプリントサイズに対応する長さに切断されるようになっている。この切断されたペーパ４（以下、切断されたペーパ４についてはペーパ４ａと記す）は、上記焼付け部１０に設けた露光台６の露光位置に搬送されて停止保持される。
【００２３】
上記本体ケース１の上面と図１の左側側面との角部には、内部に光源７ａを有する光源装置７が設けられ、この光源装置７の光源７ａの光が、反射板８を介して、ネガマスク９に保持されたネガフィルムＦに照射され、そのネガ像が上記露光位置に保持されたペーパ４ａの乳剤面上に焼付けられる。
【００２４】
上記焼付け処理されたペーパ４ａは、上記現像部１１へ送られる一方、次にカッター装置５により切断されたペーパ４ａが露光台６の露光位置に搬送されて停止保持され、この新たなペーパ４ａに対し焼付け処理がなされ、このようにして、焼付け処理されたペーパ４ａは、順次、その前後のペーパ４ａとの間に所定間隔をあけた状態で現像部１１へ送られるようになっている。尚、図１には、焼付け部１０から後述のペーパ出口１８までのペーパ４ａの搬送路が二点鎖線で示されている。
【００２５】
上記現像部１１には、各種処理液（水を含む）がそれぞれ収容された複数の処理槽１６が設けられており、上記焼付け部１０より送られてきたペーパ４ａは、これら処理槽１６の処理液に順次浸漬されて現像処理がなされるようになっている。尚、複数の処理槽１６のうち最も搬送路下流側にある処理槽１６には、その上流側で付着した処理液を洗い落とすための水が収容されている。
【００２６】
上記現像処理されたペーパ４ａは、スクイズラック１３を通過した後に、上記乾燥部１２に設けられかつ周囲を板材等で囲まれてなる乾燥ラック１７（乾燥室）内に送り込まれる。上記スクイズラック１３には、駆動ローラ１４ａ及び従動ローラ１４ｂからなるスクイズローラ１４（図２参照）が２組設けられており、これらスクイズローラ１４によりペーパ４ａを挟持することによって、ペーパ４ａの水切りを行うようになっている。そして、乾燥部１２の乾燥ラック１７は、上記処理液によって処理されかつスクイズラック１３を通過したペーパ４ａを、所定の搬送路に沿って該搬送路の一方の側へ搬送しながら、熱風の導入により乾燥させるように構成されている。
【００２７】
ここで、上記乾燥部１２の構成を詳細に説明する。図２にも示すように、乾燥部１２の乾燥ラック１７内の搬送路上流側端部（下側端部）には、上流側巻付けローラ２１が設けられている。この上流側巻付けローラ２１は、上記スクイズラック１３から略水平状態で乾燥ラック１７内に送り込まれたペーパ４ａのベース面側（上側）において略水平方向（ペーパ幅方向）に延びるように配置されていて、不図示のモータにより駆動される駆動ローラとされており、この上流側巻付けローラ２１の長さはペーパ４ａの幅と略同じ長さである。この上流側巻付けローラ２１の下側ないし下流側側方には、不図示のスプリングにより上流側巻付けローラ２１の外周表面に押し付けられる５つの従動ローラ２２が、該上流側巻付けローラ２１と略平行に延びるように設けられており、これら上流側巻付けローラ２１及び従動ローラ２２は、圧着型の搬送ローラを構成する。このことで、上流側巻付けローラ２１は、上記ペーパ４ａを、そのベース面が該上流側巻付けローラ２１の外周表面に接触するように巻き付けた状態で下流側へ送り出す。
【００２８】
上記上流側巻付けローラ２１の外周表面へのペーパ４ａの巻付け角度は、９０°よりも僅かに大きくて、これにより、ペーパ４ａは略上向きに（上向きに対して僅かにベース面側（図１及び図２の左側）に傾いた向きに）送り出される。尚、上記巻付け角度は、本実施形態のような角度に限定されないが、後述の如くペーパ４ａを有効に加熱する観点からは９０°以上であることが好ましい。
【００２９】
上記乾燥部１２の乾燥ラック１７内の搬送路下流側端部（上側端部）には、上記上流側巻付けローラ２１及び従動ローラ２２と同様の構成である、下流側巻付けローラ２３（駆動ローラとされる）及び従動ローラ２４が上記上流側巻付けローラ２１と略平行に延びるように設けられており、略上向きに搬送されてきたペーパ４ａが、そのベース面が下流側巻付けローラ２３の外周表面に接触するように巻き付けられた状態で下流側へ送り出される。このとき、ペーパ４ａは略水平状態にあり、この状態で乾燥ラック１７（乾燥部１２）から送り出されるようになっている。この乾燥ラック１７から送り出された乾燥処理後のペーパ４ａは、本体ケース１に設けたペーパ出口１８から外部へ排出される。
【００３０】
上記乾燥部１２の乾燥ラック１７内の上下方向中間部には、上記上流側巻付けローラ２１と略平行に延びる駆動ローラ２５ａ及び従動ローラ２５ｂからなる複数組（図１では５組）の圧着型搬送ローラ２５が、ペーパ４の搬送方向に所定間隔があくように設けられている。これら複数組の搬送ローラ２５の駆動ローラ２５ａはペーパ４ａのベース面に接触し、従動ローラ２５ｂはペーパ４ａの乳剤面に接触するように配置されている。そして、従動ローラ２５ｂは、その同じ組の駆動ローラ２５ａに対してペーパ送り方向前側にずれて配置されており、これにより、ペーパ４ａが上向きに対して僅かにベース面側（左側）に傾いた向きに送り出されるようになっている。
【００３１】
上記複数組の搬送ローラ２５の駆動ローラ２５ａ間、最も搬送路上流側に位置する駆動ローラ２５ａと上記上流側巻付けローラ２１との間、及び、最も搬送路下流側に位置する駆動ローラ２５ａと上記下流側巻付けローラ２３との間には、ガイド板２８がそれぞれ配設されている。この各ガイド板２８は、一定の幅で、該ガイド板２８に対して搬送路に沿った方向の両側に位置する駆動ローラ２５ａ（又は上流側若しくは下流側巻付けローラ２１，２３）の長さ方向に延びている（ペーパ４ａの幅と略同じ長さを有している）とともに、該両側の駆動ローラ２５ａ（２１，２３）に対して隙間があくように配設されている。この各隙間は、ガイド板２８の長さ方向全体に亘って一定である。そして、各ガイド板２８の搬送路側の面は、搬送路下流側に向かって搬送路に近づくように傾斜していて、上記のように搬送ローラ２５により上向きに対してベース面側に傾いた向きに送り出されたペーパ４ａを、その搬送ローラ２５の下流側に隣接する搬送ローラ２５へ導く役割を果たす。
【００３２】
上記乾燥部１２において、乾燥ラック１７の側方（図１及び図２の右側側方）、つまり上記のように略上向きに搬送されるペーパ４ａの乳剤面側（図１及び図２の右側）には、８０℃程度に加熱された熱風が流れるダクト３０が設けられている。このダクト３０は、上記ペーパ４ａの幅方向全体に亘って上下方向に延びている。そして、このダクト３０の下端部には、図示を省略するクロスフローファンが接続されており、このクロスフローファンと該クロスフローファンの吸込口に設けたヒータとにより、加熱された空気（熱風）がダクト３０内を下から上へと流れるようになっている（図２における熱風の流れを示す実線の矢印参照）。
【００３３】
上記ダクト３０には、乾燥ラック１７内に上記熱風を吹き出す複数（図１では６つ）の吹出し部３０ａが、乾燥ラック１７内に突出するように形成されている。この各吹出し部３０ａは、上記各ガイド板２８とそれぞれ対向する位置に形成されていて、ペーパ４ａの幅方向に延び、その長さはガイド板２８の長さと略同じである。そして、吹出し部３０ａの上下の面が、突出先端に向かって互いに近づくようになされているとともに、その突出先端の位置が、乾燥部１２の搬送路上におけるペーパ４ａの乳剤面の近傍に位置しており、このことより、各吹出し部３０ａより吹き出された熱風が、該搬送路上におけるペーパ４ａの乳剤面のペーパ幅方向全体に吹き付けられることになる。
【００３４】
上記乾燥部１２の搬送路上にペーパ４ａが全く存在しないとき、又は該搬送路上にペーパ４ａが存在しても、ペーパ４ａはその前後のペーパ４ａとの間に間隔があけられて搬送されるので、その間隔があいた箇所が上記ガイド板２８の配設箇所と一致したときに、上記吹出し部３０ａより吹き出された熱風は、ガイド板２８とその両側の駆動ローラ２５ａとの間（又は駆動ローラ２５ａと上流側若しくは下流側巻付けローラ２１，２３との間）の隙間を通ってペーパ４ａのベース面側に流れる。このベース面側に流れた熱風の一部は、上流側巻付けローラ２１へ導かれる。特に、上流側巻付けローラ２１及びその直ぐ下流側の駆動ローラ２５ａの間に位置するガイド板２８（最も搬送路上流側のガイド板２８）と該両ローラ２１，２５ａとの各隙間を通った熱風の殆どが上流側巻付けローラ２１へ導かれる。また、最も搬送路上流側のガイド板２８は、その搬送路側の面が上流側巻付けローラ２１の側に傾いているので、該ガイド板２８に対向する吹出し部３０ａ（最も下側の吹出し部３０ａ）より吹き出された熱風を上流側巻付けローラ２１の方向へ反射させる役割を有する。これらのことより、上流側巻付けローラ２１の外周表面温度は、各吹出し部３０ａ（特に最も下側の吹出し部３０ａ）より吹き出された熱風によって上昇するようになっている。また、各吹出し部３０ａより吹き出された熱風によって、乾燥ラック１７内全体の温度が上昇する。
【００３５】
本実施形態では、上記上流側巻付けローラ２１の外周表面温度の上昇及び後述のペーパ４ａの加熱を有効に行うために、上流側巻付けローラ２１の外周表面部を金属部材（例えば鉄やアルミニウム等）で構成している。但し、必ずしもこのような材料に限るものではない。尚、その他のローラの外周表面部は、熱風が当たっても殆ど温度上昇しないような発泡シリコン等で構成している。
【００３６】
本写真焼付現像機が稼働して最初のペーパ４ａが乾燥ラック１７に到達するまでの間は、上記のように上流側巻付けローラ２１に、各吹出し部３０ａより吹き出された熱風が当たり、これにより、乾燥ラック１７内の温度が十分に上昇していなくても、上流側巻付けローラ２１の外周表面部が、熱風と略同じ温度にまで上昇する。この結果、乾燥ラック１７内の温度が十分に上昇するまでの間に、最初のペーパ４ａが乾燥ラック１７に到達したとしても、その最初のペーパ４ａは上流側巻付けローラ２１から熱を受けて予熱が行われる。そして、このペーパ４ａは、下流側に搬送されながら、吹出し部３０ａの配設箇所を通過するときに、吹出し部３０ａより吹き出された熱風を直接受けるとともに、乾燥ラック１７内全体の熱い空気にさらされて、次第に乾燥されていく。この乾燥は、上記予熱の分だけ早く行われることとなる。
【００３７】
一方、ペーパ４ａが吹出し部３０ａと対向する部分に位置すると、その吹出し部３０ａより吹き出された熱風がペーパ４ａのベース側に流れなくなるが、搬送される前後のペーパ４ａとの間に間隔があけられているので、その間隔があいた箇所がガイド板２８の配設箇所と一致したときに、そのガイド板２８と対向する吹出し部３０ａから吹き出された熱風は、該ガイド板２８とその両側の駆動ローラ２５ａとの間（又は駆動ローラ２５ａと上流側若しくは下流側巻付けローラ２１，２３との間）の隙間を通ってペーパ４ａのベース面側に流れ、その一部は、上流側巻付けローラ２１のところに達する。この結果、上流側巻付けローラ２１の外周表面部の温度は、ペーパ４ａとの接触により低下しても、直ぐに熱風の温度と略同じ程度に復帰する。
【００３８】
したがって、上記実施形態では、乾燥部１２の乾燥ラック１７内の搬送路上流側端部に、ペーパ４ａを、そのベース面が外周表面に接触するように巻き付けた状態で下流側へ送り出す上流側巻付けローラ２１を設け、吹出し部３０ａより吹き出された熱風によって上流側巻付けローラ２１の表面温度を上昇させて上記ペーパ４ａの予熱を行うようにしたことにより、ヒートローラのように上流側巻付けローラ２１を加熱するための専用の熱源や制御装置を用いることなく、上流側巻付けローラ２１を良好に加熱することができ、コストや消費電力のアップを抑制しつつ、乾燥時間の短縮化を図ることができる。
【００３９】
また、各ガイド板２８とその両側の駆動ローラ２５ａ（又は上流側若しくは下流側巻付けローラ２１，２３）との各隙間が、ガイド板２８の長さ方向全体に亘って一定であるので、上流側巻付けローラ２１の外周表面においてその長さ方向全体を均一に温度上昇させることができ、これにより、ペーパ４ａの幅方向全体を一様に乾燥させて、ペーパ４ａの幅方向における乾燥ムラを防止することができる。特に、上流側巻付けローラ２１及びその直ぐ下流側の駆動ローラ２５ａの間に位置するガイド板２８と該両ローラ２１，２５ａとの各隙間が一定であること、及び、そのガイド板２８の幅が一定であることで、上流側巻付けローラ２１に達する熱風の量がペーパ４ａの幅方向全体に亘って一定となり、乾燥ムラの防止効果が確実に得られる。また、搬送路においてペーパ４ａが存在しない箇所からペーパ４ａのベース面側に流れた熱風が、そのベース面側に流れた部分とは異なる上記各隙間よりペーパ４ａのベース面に達する場合があるが、このような場合でも、そのベース面を幅方向全体に亘って均一に乾燥させることができ、このことからも、ペーパ４ａの幅方向における乾燥ムラを防止することができる。
【００４０】
尚、上記実施形態では、吹出し部３０ａを搬送路上のペーパ４ａの乳剤面側のみに配設したが、ベース面側と乳剤面側との両方に配設するようにしてもよい。そして、吹出し部３０ａを乳剤面側にも配設する場合には、その乳剤面側の少なくとも１つの吹出し部３０ａから熱風を上流側巻付けローラ２１に直接吹き付けるようにしてもよい。但し、上記実施形態のように吹出し部３０ａを乳剤面側のみに配設する方が、写真焼付現像機の小型化やコストのより一層の低減化を図ることができる。
【産業上の利用可能性】
【００４１】
本発明は、写真焼付現像機のように、処理液によって処理された印画紙を、所定の搬送路に沿って搬送しながら、熱風の導入により乾燥させる乾燥部を備えた写真処理装置に有用である。
【図面の簡単な説明】
【００４２】
【図１】本発明の実施形態に係る写真処理装置としての写真焼付現像機を示す概略図である。
【図２】乾燥部の要部を拡大して示す断面図である。
【符号の説明】
【００４３】
４      ペーパ（印画紙）
１２    乾燥部
１７    乾燥ラック
２１    上流側巻付けローラ
２５ａ  駆動ローラ（印画紙のベース面に接触する搬送ローラ）
２８    ガイド板
３０ａ  吹出し部
【図１】
2007033912.tif 000003
【図２】
2007033912.tif 000004